(57)【要約】【課題】インターネットや電話や携帯電話等の特別な契約や工事をしないでも、無線電波により、ある緊急通報装置で緊急事態が発生した場合、ご近所の他の緊急通報装置に対しその緊急事態を迅速かつ確実に通報する。【解決手段】緊急通報装置１１の制御回路１１ｐは、非常ボタン１１ｃが押下された場合、非常ボタン１１ｃがオンになった当該緊急通報装置１１の個別機器番号を含む緊急事態発生信号を、通信回路１１ｎから同一グループ内の他の緊急通報装置１１に対し送信し、通信回路１１ｎが他の緊急通報装置１１からの緊急事態発生信号を受信した場合、警報ブザー１１ｆにより報知すると共に、緊急事態発生ランプ（緊急ランプ）１１ｅおよび非常ボタン１１ｃが押下された緊急通報装置１１に該当する発信者特定ランプ１１ｇ１〜１１ｇ６を点滅させて自機の使用者に対し非常ボタン１１ｃが押下された緊急通報装置１１を報知する。【選択図】図３
2017194783.tif 000002
【特許請求の範囲】
【請求項１】
複数の緊急通報装置を備えた緊急通報システムであって、
複数の緊急通報装置は、それぞれ、少なくともグループ番号設定スイッチと、個別機器番号設定スイッチと、非常ボタンと、停止ボタンと、警報手段と、発信者特定ランプと、通信手段と、制御手段とを有し、
前記グループ番号設定スイッチの設定によって数台にて同一のグループ番号が設定されることにより同一グループを構成すると共に、前記個別機器番号設定スイッチの設定によって同一グループ内でそれぞれ個別の個別機器番号が設定され、
前記制御手段は、
使用者の操作により前記非常ボタンが押下された場合、前記非常ボタンが押下された緊急通報装置の前記個別機器番号を含む緊急事態発生信号を、前記通信手段から同一グループ内の他の緊急通報装置に対し送信する一方、前記通信手段に同一グループ内の他の緊急通報装置からの前記緊急事態発生信号を受信させ、
前記通信手段が同一グループ内の他の緊急通報装置からの前記緊急事態発生信号を受信した場合、前記警報手段に警報させ同一グループ内のいずれかの緊急通報装置で緊急事態にあることを自機の使用者に対し報知すると共に、受信した前記緊急事態発生信号に含まれる前記個別機器番号に基づいて前記非常ボタンが押下された緊急通報装置に該当する前記発信者特定ランプを表示して自機の使用者に対し前記非常ボタンが押下された緊急通報装置を報知し、
前記通信手段が同一グループ内の他の緊急通報装置からの前記緊急事態発生信号を受信後、前記停止ボタンが押下された場合、前記警報手段による警告および前記発信者特定ランプによる報知を停止させるように制御することを特徴とする緊急通報システム。
【請求項２】
請求項１記載の緊急通報システムにおいて、
前記制御手段は、
前記個別機器番号設定スイッチの設定によって同一グループ内の全ての緊急通報装置が子機の個別機器番号が設定された運用モード１の場合、
前記非常ボタンが押下された際、前記通信手段から前記非常ボタンが押下された緊急通報装置の前記個別機器番号を含む前記緊急事態発生信号を、同一グループ内の他の緊急通報装置全てに対し前記通信手段から送信するように制御することを特徴とする緊急通報システム。
【請求項３】
請求項１記載の緊急通報システムにおいて、
前記制御手段は、
前記個別機器番号設定スイッチの設定によって同一グループ内に子機の個別機器番号が設定された緊急通報装置と、親機の個別機器番号が設定された緊急通報装置とがある運用モード２の場合、
子機の緊急通報装置で前記非常ボタンが押下された際、前記通信手段から当該子機である緊急通報装置の前記個別機器番号を含む緊急事態発生信号を同一グループ内の親機の緊急通報装置に対し送信するように制御することを特徴とする緊急通報システム。
【請求項４】
請求項１記載の緊急通報システムにおいて、
前記制御手段は、
前記個別機器番号設定スイッチの設定によって同一グループ内の全ての緊急通報装置が子機の個別機器番号が設定された運用モード１の場合、
前記非常ボタンが押下された際、前記通信手段から前記非常ボタンが押下された緊急通報装置の前記個別機器番号を含む前記緊急事態発生信号を、同一グループ内の他の緊急通報装置全てに対し前記通信手段から送信するように制御する一方、
前記個別機器番号設定スイッチの設定によって同一グループ内に子機の個別機器番号が設定された緊急通報装置と、親機の個別機器番号が設定された緊急通報装置とがある運用モード２の場合、
子機の緊急通報装置で前記非常ボタンが押下された際、前記通信手段から当該子機である緊急通報装置の前記個別機器番号を含む緊急事態発生信号を同一グループ内の親機の緊急通報装置に対し送信するように制御することを特徴とする緊急通報システム。
【請求項５】
請求項２または請求項４記載の緊急通報システムにおいて、
前記警報手段には、少なくとも非常ランプと、緊急ランプと、警報ブザーとがあり、
使用者の操作により前記非常ボタンが押下された緊急通報装置では、
前記制御手段は、
前記非常ボタンが押下された際、前記非常ランプを点灯させると共に、前記緊急ランプおよび前記非常ボタンが押下された当該緊急通報装置に該当する前記発信者特定ランプを点滅させ、かつ、前記警報ブザーを鳴動させる一方、
当該緊急通報装置が緊急事態にあることを示す緊急事態発生信号を、当該緊急通報装置の前記個別機器番号と共に同一グループ内の他の緊急通報装置全てに対し前記通信手段から送信し、
前記非常ボタンが押下された緊急通報装置から前記緊急事態発生信号を受信した同一グループ内の他の緊急通報装置では、
前記制御手段は、各緊急通報装置の前記緊急ランプおよび前記非常ボタンが押下された当該緊急通報装置に該当する前記発信者特定ランプを点滅させ、かつ、前記警報ブザーを鳴動させることを特徴とする緊急通報システム。
【請求項６】
請求項５記載の緊急通報システムにおいて、
使用者の操作により前記非常ボタンが押下された緊急通報装置の制御手段は、
前記警報ブザーを鳴動させる際、前記警報ブザーの音量を、当該緊急通報装置の前記停止ボタンが押下されるまで所定時間経過毎に徐々に大きくしていき、最大限の音量に達した場合でも前記停止ボタンが押下されるまで最大限の音量を継続するように制御する一方、
前記非常ボタンが押下された緊急通報装置から前記緊急事態発生信号を受信した同一グループ内の他の緊急通報装置の制御手段は、
前記警報ブザーを鳴動させる際、前記警報ブザーの音量を、前記非常ボタンが押下された前記緊急通報装置で前記停止ボタンが押下されて送信される停止信号を受信するまで、または当該他の緊急通報装置の前記停止ボタンが押下されるまで、所定時間経過毎に徐々に大きくしていき、最大限の音量に達した場合は、所定時間経過後、徐々に小さく鳴動するように制御することを特徴とする緊急通報システム。
【請求項７】
請求項３または請求項４記載の緊急通報システムにおいて、
前記警報手段には、少なくとも非常ランプと、緊急ランプと、警報ブザーとがあり、
使用者の操作により前記非常ボタンが押下された子機の緊急通報装置では、
前記制御手段は、
前記非常ボタンが押下された際、前記非常ランプを点灯させると共に、前記緊急ランプおよび前記非常ボタンが押下された当該緊急通報装置に該当する前記発信者特定ランプを点滅させ、かつ、前記警報ブザーを一瞬だけ鳴動させる一方、
当該緊急通報装置が緊急事態にあることを示す緊急事態発生信号を、当該緊急通報装置の前記個別機器番号と共に同一グループ内の親機の緊急通報装置に対し前記通信手段から送信し、
前記非常ボタンが押下された子機の緊急通報装置から前記緊急事態発生信号を受信した同一グループ内の親機の緊急通報装置では、
前記制御手段は、各緊急通報装置の前記緊急ランプおよび前記非常ボタンが押下された当該緊急通報装置に該当する前記発信者特定ランプを点滅させ、かつ、前記警報ブザーを鳴動させることを特徴とする緊急通報システム。
【請求項８】
請求項７記載の緊急通報システムにおいて、
使用者の操作により前記非常ボタンが押下された子機の緊急通報装置では、
前記制御手段は、
前記警報ブザーを鳴動させる際、前記警報ブザーを、一瞬だけ鳴動させる一方、
前記非常ボタンが押下された子機の緊急通報装置から前記緊急事態発生信号を受信した同一グループ内の親機の緊急通報装置では、
前記制御手段は、
前記警報ブザーを鳴動させる際、前記警報ブザーの音量を、前記非常ボタンが押下された子機の前記緊急通報装置で前記停止ボタンが押下されて送信される停止信号を受信するまで、または当該親機の緊急通報装置で前記停止ボタンが押下されるまで、所定時間経過毎に徐々に大きくしていき、最大限の音量に達した場合でも前記停止信号を受信するまで、または前記停止ボタンが押下されるまで最大限の音量を継続するように制御することを特徴とする緊急通報システム。
【請求項９】
請求項８記載の緊急通報システムにおいて、
前記非常ボタンが押下された子機の緊急通報装置から前記緊急事態発生信号を受信した後、前記停止ボタンが押下された同一グループ内の親機の緊急通報装置では、
前記制御手段は、
前記停止ボタンが所定時間未満の短押しされた場合、短押し開始の時点で前記警報ブザーの鳴動を停止させると共に、前記非常ボタンが押下された子機の緊急通報装置に該当する前記発信者特定ランプの点滅はそのまま継続させるように制御する一方、
前記停止ボタンが所定時間以上の長押しされた場合、長押し開始の時点で前記警報ブザーの鳴動を停止させると共に、長押し開始から所定時間経過した時点で前記非常ボタンが押下された子機の緊急通報装置に該当する前記発信者特定ランプの点滅も停止させるように制御することを特徴とする緊急通報システム。
【発明の詳細な説明】
【技術分野】
【０００１】
本発明は、インターネットや電話や携帯電話などの媒体を利用せずに無線を使用してある緊急通報装置で発生した緊急事態（非常事態）を他の緊急通報装置に通報できる緊急通報システムに関する。
【背景技術】
【０００２】
近年、事故の発生から警察や消防への通報を自動で行うまでの時間を短縮する緊急通報システムが広く普及しており、電話や携帯電話を使用したものや（例えば、特許文献１参照。）、インターネットなどを使用したもの（例えば、特許文献２参照。）等、各種の通信媒体を利用した緊急通報システムが数多く提案されています
【先行技術文献】
【特許文献】
【０００３】
【特許文献１】特開２０１１−２１６９５４号公報
【特許文献２】特開２００２−２６９６６０号公報
【発明の概要】
【発明が解決しようとする課題】
【０００４】
しかし、上述の特許文献１，２に記載の緊急通報システムは、電話回線の分配工事や携帯電話の契約やインターネットの工事等が必要であること、使用者の毎月の負担額が大きい等の問題があった。
【０００５】
特に記すべきは、１１９番または１１０番に緊急通報しても、救急車や消防車、パトカーが現地に到着するまでには、約１０分程度以上の時間が必要であり、この間に現場の状況が悪化する事態が問題視され、ＡＥＤのような速やかな対応が取れる緊急通報システムが要望されていた。
【０００６】
そこで、本発明はこのような問題点に着目してなされたもので、インターネットの工事や携帯電話等の特別な工事や契約をせずに、ある緊急通報装置で緊急事態（非常事態）が発生した場合、近くの他の緊急通報装置に対しその緊急事態を迅速かつ確実に通報することができる緊急通報システムを提供することを目的とする。
【課題を解決するための手段】
【０００７】
前記課題を解決するため、本発明の請求項１に係る緊急通報システムは、複数の緊急通報装置を備えた緊急通報システムであって、複数の緊急通報装置は、それぞれ、少なくともグループ番号設定スイッチと、個別機器番号設定スイッチと、非常ボタンと、停止ボタンと、警報手段と、発信者特定ランプと、通信手段と、制御手段とを有し、前記グループ番号設定スイッチの設定によって数台にて同一のグループ番号が設定されることにより同一グループを構成すると共に、前記個別機器番号設定スイッチの設定によって同一グループ内でそれぞれ個別の個別機器番号が設定され、前記制御手段は、使用者の操作により前記非常ボタンが押下された場合、前記非常ボタンが押下された緊急通報装置の前記個別機器番号を含む緊急事態発生信号を、前記通信手段から同一グループ内の他の緊急通報装置に対し送信する一方、前記通信手段に同一グループ内の他の緊急通報装置からの前記緊急事態発生信号を受信させ、前記通信手段が同一グループ内の他の緊急通報装置からの前記緊急事態発生信号を受信した場合、前記警報手段に警報させ同一グループ内のいずれかの緊急通報装置で緊急事態にあることを自機の使用者に対し報知すると共に、受信した前記緊急事態発生信号に含まれる前記個別機器番号に基づいて前記非常ボタンが押下された緊急通報装置に該当する前記発信者特定ランプを表示して自機の使用者に対し前記非常ボタンが押下された緊急通報装置を報知し、前記通信手段が同一グループ内の他の緊急通報装置からの前記緊急事態発生信号を受信後、前記停止ボタンが押下された場合、前記警報手段による警告および前記発信者特定ランプによる報知を停止させるように制御することを特徴とする。
この機能によって、当該緊急発信者のご近所の家の者が緊急事態発生に気付き駆けつけることにより、速やかな初期救助・救難対応が可能となる自助・共助・公助の共助的考えによる。
ここで、緊急事態（非常事態）発生信号の送受信は、トランシーバ等と同様に、免許の不要な特定小電力無線（小電力セキュリティーシステム）により送受信することが望ましいが、電力線モデムを使用した電力線通信のような有線の通信では、その範囲が狭くこのシステムには適さない。
また、本発明の請求項２に係る緊急通報システムは、請求項１記載の記緊急通報システムにおいて、前記制御手段は、前記個別機器番号設定スイッチの設定によって同一グループ内の全ての緊急通報装置が子機の個別機器番号が設定された運用モード１の場合、前記非常ボタンが押下された際、前記通信手段から前記非常ボタンが押下された緊急通報装置の前記個別機器番号を含む前記緊急事態発生信号を、同一グループ内の他の緊急通報装置全てに対し前記通信手段から送信するように制御することを特徴とする。
また、本発明の請求項３に係る緊急通報システムは、請求項１記載の記緊急通報システムにおいて、前記制御手段は、前記個別機器番号設定スイッチの設定によって同一グループ内に子機の個別機器番号が設定された緊急通報装置と、親機の個別機器番号が設定された緊急通報装置とがある運用モード２の場合、子機の緊急通報装置で前記非常ボタンが押下された際、前記通信手段から当該子機である緊急通報装置の前記個別機器番号を含む緊急事態発生信号を同一グループ内の親機の緊急通報装置に対し送信するように制御することを特徴とする。
また、本発明の請求項４に係る緊急通報システムは、請求項１記載の記緊急通報システムにおいて、前記制御手段は、前記個別機器番号設定スイッチの設定によって同一グループ内の全ての緊急通報装置が子機の個別機器番号が設定された運用モード１の場合、前記非常ボタンが押下された際、前記通信手段から前記非常ボタンが押下された緊急通報装置の前記個別機器番号を含む前記緊急事態発生信号を、同一グループ内の他の緊急通報装置全てに対し前記通信手段から送信するように制御する一方、前記個別機器番号設定スイッチの設定によって同一グループ内に子機の個別機器番号が設定された緊急通報装置と、親機の個別機器番号が設定された緊急通報装置とがある運用モード２の場合、子機の緊急通報装置で前記非常ボタンが押下された際、前記通信手段から当該子機である緊急通報装置の前記個別機器番号を含む緊急事態発生信号を同一グループ内の親機の緊急通報装置に対し送信するように制御することを特徴とする。
また、本発明の請求項５に係る緊急通報システムは、請求項２または請求項４記載の緊急通報システムにおいて、前記警報手段には、少なくとも非常ランプと、緊急ランプと、警報ブザーとがあり、使用者の操作により前記非常ボタンが押下された緊急通報装置では、
前記制御手段は、前記非常ボタンが押下された際、前記非常ランプを点灯させると共に、前記緊急ランプおよび前記非常ボタンが押下された当該緊急通報装置に該当する前記発信者特定ランプを点滅させ、かつ、前記警報ブザーを鳴動させる一方、当該緊急通報装置が緊急事態にあることを示す緊急事態発生信号を、当該緊急通報装置の前記個別機器番号と共に同一グループ内の他の緊急通報装置全てに対し前記通信手段から送信し、前記非常ボタンが押下された緊急通報装置から前記緊急事態発生信号を受信した同一グループ内の他の緊急通報装置では、前記制御手段は、各緊急通報装置の前記緊急ランプおよび前記非常ボタンが押下された当該緊急通報装置に該当する前記発信者特定ランプを点滅させ、かつ、前記警報ブザーを鳴動させることを特徴とする
また、本発明の請求項６に係る緊急通報システムは、請求項５記載の緊急通報システムにおいて、使用者の操作により前記非常ボタンが押下された緊急通報装置の制御手段は、前記警報ブザーを鳴動させる際、前記警報ブザーの音量を、当該緊急通報装置の前記停止ボタンが押下されるまで所定時間経過毎に徐々に大きくしていき、最大限の音量に達した場合でも前記停止ボタンが押下されるまで最大限の音量を継続するように制御する一方、前記非常ボタンが押下された緊急通報装置から前記緊急事態発生信号を受信した同一グループ内の他の緊急通報装置の制御手段は、前記警報ブザーを鳴動させる際、前記警報ブザーの音量を、前記非常ボタンが押下された前記緊急通報装置で前記停止ボタンが押下されて送信される停止信号を受信するまで、または当該他の緊急通報装置の前記停止ボタンが押下されるまで、所定時間経過毎に徐々に大きくしていき、最大限の音量に達した場合は、所定時間経過後、徐々に小さく鳴動するように制御することを特徴とする。
また、本発明の請求項７に係る緊急通報システムは、請求項３または請求項４記載の緊急通報システムにおいて、前記警報手段には、少なくとも非常ランプと、緊急ランプと、警報ブザーとがあり、使用者の操作により前記非常ボタンが押下された子機の緊急通報装置では、前記制御手段は、前記非常ボタンが押下された際、前記非常ランプを点灯させると共に、前記緊急ランプおよび前記非常ボタンが押下された当該緊急通報装置に該当する前記発信者特定ランプを点滅させ、かつ、前記警報ブザーを一瞬だけ鳴動させる一方、当該緊急通報装置が緊急事態にあることを示す緊急事態発生信号を、当該緊急通報装置の前記個別機器番号と共に同一グループ内の親機の緊急通報装置に対し前記通信手段から送信し、前記非常ボタンが押下された子機の緊急通報装置から前記緊急事態発生信号を受信した同一グループ内の親機の緊急通報装置では、前記制御手段は、各緊急通報装置の前記緊急ランプおよび前記非常ボタンが押下された当該緊急通報装置に該当する前記発信者特定ランプを点滅させ、かつ、前記警報ブザーを鳴動させることを特徴とする。
また、本発明の請求項８に係る緊急通報システムは、請求項７記載の緊急通報システムにおいて、使用者の操作により前記非常ボタンが押下された子機の緊急通報装置では、前記制御手段は、前記警報ブザーを鳴動させる際、前記警報ブザーを、一瞬だけ鳴動させる一方、前記非常ボタンが押下された子機の緊急通報装置から前記緊急事態発生信号を受信した同一グループ内の親機の緊急通報装置では、前記制御手段は、前記警報ブザーを鳴動させる際、前記警報ブザーの音量を、前記非常ボタンが押下された子機の前記緊急通報装置で前記停止ボタンが押下されて送信される停止信号を受信するまで、または当該親機の緊急通報装置で前記停止ボタンが押下されるまで、所定時間経過毎に徐々に大きくしていき、最大限の音量に達した場合でも前記停止信号を受信するまで、または前記停止ボタンが押下されるまで最大限の音量を継続するように制御することを特徴とする。
また、本発明の請求項９に係る緊急通報システムは、請求項８記載の緊急通報システムにおいて、前記非常ボタンが押下された子機の緊急通報装置から前記緊急事態発生信号を受信した後、前記停止ボタンが押下された同一グループ内の親機の緊急通報装置では、前記制御手段は、前記停止ボタンが所定時間未満の短押しされた場合、短押し開始の時点で前記警報ブザーの鳴動を停止させると共に、前記非常ボタンが押下された子機の緊急通報装置に該当する前記発信者特定ランプの点滅はそのまま継続させるように制御する一方、前記停止ボタンが所定時間以上の長押しされた場合、長押し開始の時点で前記警報ブザーの鳴動を停止させると共に、長押し開始から所定時間経過した時点で前記非常ボタンが押下された子機の緊急通報装置に該当する前記発信者特定ランプの点滅も停止させるように制御することを特徴とする。
【発明の効果】
【０００８】
本発明の緊急通報システムによれば、各緊急通報装置は、それぞれ、使用者の操作により非常ボタンがオンした場合、その緊急事態（非常事態）発生信号を他の緊急通報装置に対し送信し、他の緊急通報装置では、緊急事態発生信号が発信された緊急通報装置からその緊急事態発生信号を受信して、当該他の緊急通報装置の使用者に報知するので、インターネットの工事や電話や携帯電話を使用しなくても、また、高価なセンター装置を介さずとも独立したグループ内にて、他の緊急通報装置の使用者の緊急事態を緊急事態発生信号の受信により知ることができる。
また、本発明の緊急通報システムでは、各緊急通報装置では、警報手段による警報だけでなく、非常ボタンが押下された緊急通報装置から緊急事態発生信号を受信した場合には、その緊急事態発生信号に含まれる個別機器番号に基づいてその緊急事態発生信号を発信した他の緊急通報装置を特定して報知する発信者特定ランプを設けているため、非常ボタンが押下された緊急通報装置を簡単に特定することができる。
このシステムの最大の効果は、当該緊急発信者のご近所の家の者が緊急事態発生に気付き駆けつけることにより、速やかな初期救助・救難対応が可能となる。緊急事態発生からの最も大切な最初の時間、例えば、１０分間を有効に活かすことが出来、この貴重な１０分間により、より多くの生命を救うことが出来るようになる。
【図面の簡単な説明】
【０００９】
【図１】本発明に係る実施形態の緊急通報システムを構成する緊急通報装置の表側の外観を示す平面図である。
【図２】本発明に係る実施形態の緊急通報システムを構成する緊急通報装置の裏側の外観を示す底面図である。
【図３】本発明に係る実施形態の緊急通報システムを構成する緊急通報装置の内部構成を示すブロック図である。
【図４】本発明に係る実施形態の緊急通報システムの運用モード１における同一グループ内における各緊急通報装置間の通信状況を示す図である。
【図５】本発明に係る実施形態の緊急通報システムの運用モード２における同一グループ内における各緊急通報装置間の通信状況を示す図である。
【図６】本発明に係る実施形態の緊急通報システムを構成する緊急通報装置におけるエラーモードで起動時の状態を示す図である。
【図７】本発明に係る実施形態の緊急通報システムを構成する緊急通報装置における運用モード１で起動時の状態を示す図である。
【図８】本発明に係る実施形態の緊急通報システムを構成する緊急通報装置における運用モード２で起動時の状態を示す図である。
【図９】本発明に係る実施形態の緊急通報システムを構成する緊急通報装置における運用モード切り替え処理が成功した場合を示す図である。
【図１０】本発明に係る実施形態の緊急通報システムを構成する緊急通報装置における運用モード切り替え処理が失敗した場合を示す図である。
【図１１】本発明に係る実施形態の緊急通報システムを構成する緊急通報装置における個別機器番号設定スイッチの有効設定範囲および異常設定範囲を示す図である。
【図１２】本発明に係る実施形態の緊急通報システムを構成する緊急通報装置における個別機器番号設定スイッチの設定異常表示の状態を示す図である。
【図１３】本発明に係る実施形態の緊急通報システムを構成する緊急通報装置が運用モード１において非常ボタンが押下された場合の緊急事態報知動作を示す図である。
【図１４】本発明に係る実施形態の緊急通報システムを構成する緊急通報装置が運用モード１において同一グループ内の他の緊急通報装置で非常ボタンが押下され、送信された緊急事態発生信号を受信した緊急通報装置での動作を示す図である。
【図１５】本発明に係る実施形態の緊急通報システムを構成する緊急通報装置が運用モード１において非常ボタンの押下後、停止ボタンが押下された場合の緊急事態報知の解除動作を示す図である。
【図１６】本発明に係る実施形態の緊急通報システムを構成する緊急通報装置が運用モード２において子機として非常ボタンが押下された場合の緊急事態報知動作を示す図である。
【図１７】本発明に係る実施形態の緊急通報システムを構成する緊急通報装置が運用モード２において非常ボタンの押下後、停止ボタンが押下された場合の緊急事態報知の解除動作を示す図である。
【図１８】本発明に係る実施形態の緊急通報システムを構成する緊急通報装置が運用モード２において親機として子機の緊急通報装置から緊急事態発生信号を受信した場合の動作を示す図である。
【図１９】本発明に係る実施形態の緊急通報システムを構成する緊急通報装置が運用モードにおいて親機として子機の緊急通報装置から緊急事態発生信号を受信後、当該親機で停止ボタンが所定時間未満の短押しされた場合の動作を示す図である。
【図２０】本発明に係る実施形態の緊急通報システムを構成する緊急通報装置が運用モード２において親機として子機の緊急通報装置から緊急事態発生信号を受信後、当該親機で停止ボタンが所定時間以上の長押しされた場合の動作を示す図である。
【発明を実施するための形態】
【００１０】
以下、本発明に係る緊急通報システム１の実施形態について、図面を参照して説明する。尚、以下に説明する実施形態はあくまで本発明の一例であり、本発明が下記に説明する実施形態に限定されるものはなく、本発明の技術的思想の範囲内で適宜変更可能である。
【００１１】
本実施形態の緊急通報システム１は、商店街や町内会などの距離的に短く、免許の不要な特定小電力無線（小電力セキュリティーシステム）が到達する例えば３００ｍ程度の範囲のある一のグループ、例えば、隣組や近くの商店街組合のグループを構成する使用者毎に配布した複数の緊急通報装置１１から構成されるものである。尚、ここでは、説明の便宜上、６台の緊急通報装置１１で１グループを構成して、各緊急通報装置１１で相互に後述する緊急事態発生信号を送受信可能なものとして説明するが、本発明では、６台に限定されるものではなく、４台や、１０台等、６台未満でも、６台より多くても良い。
【００１２】
＜本実施形態の緊急通報システム１を構成する各緊急通報装置１１の構成＞
図１〜図３は、それぞれ、本発明に係る実施形態の緊急通報システム１を構成する緊急通報装置の表側の外観を示す平面図、裏側の外観を示す底面図、内部構成を示すブロック図である。
【００１３】
本発明に係る実施形態の緊急通報システム１を構成する各緊急通報装置１１は、免許の不要な特定小電力無線（小電力セキュリティーシステム）により相互に後述する非常ボタン（緊急ボタン）１１ｃが押下された場合に緊急事態（非常事態）発生信号や停止信号等を送受信可能なもので、装置本体１１ａの表側には、図１に示すように、非常ランプ１１ｂ付きの非常ボタン１１ｃと、停止ボタン１１ｄと、緊急事態発生ランプ（図面上では、「緊急ランプ」と略す。）１１ｅと、警報ブザー１１ｆと、複数（ここでは、説明の便宜上、６台とするが、本発明では、６台に限定されるものではない。）の発信者特定ランプ１１ｇ１〜１１ｇ６と、通信状態表示ランプ１１ｈ１〜１１ｈ６と、電源ランプ１１ｉとを有する一方、装置本体１１ａの裏側には、図２に示すように、グループ番号設定スイッチ（ＳＷ）１１ｊと、個別機器番号設定スイッチ（ＳＷ）１１ｋと、通信状態表示選択スイッチ（ＳＷ）１１ｍ等を有する。
【００１４】
また、本発明に係る実施形態の緊急通報システム１を構成する各緊急通報装置１１は、装置本体１１ａ内には、図３に示すように通信回路１１ｎと、内蔵アンテナ１１ｏと、制御回路１１ｐ等を有する。
【００１５】
ここで、非常ボタン（緊急ボタン）１１ｃは、非常時（緊急時）に押下されるボタンであり、押下されると後述するようにその非常ボタン１１ｃの非常ランプ１１ｂが点灯すると共に、通信回路１１ｎから内蔵アンテナ１１ｏを介して緊急事態（非常事態）発生信号が、運用モード１であれば同一グループ内の他の緊急通報装置１１へ、運用モード２であれば同一グループ内の親機の緊急通報装置１１へ送信される。尚、本実施形態非常ボタン１１ｃは、緊急事態（非常事態）発生信号を送信するボタンであるため、誤って押されないように透明なカバー（蓋）などで覆うようにしても良い。
【００１６】
停止ボタン１１ｄは、非常ボタン１１ｃの押下によって起動した緊急事態報知動作を停止させるために使用するボタンで、押下されると、制御回路１１ｐが、後述するように自機、すなわち非常ボタン（緊急ボタン）１１ｃが押下された緊急通報装置１１における非常ランプ１１ｂの点灯や緊急事態発生ランプ１１ｅおよび該当する通信状態表示ランプ１１ｈ１〜１１ｈ６の点滅、および警報ブザー１１ｆの鳴動を停止させると共に、緊急事態（非常事態）発生信号を送信した他の緊急通報装置１１に対し停止信号を送信する。
【００１７】
緊急事態発生ランプ（図面上では、「緊急ランプ」と略す。）１１ｅは、後述するように非常ボタン１１ｃが押下された緊急通報装置１１で緊急事態が発生したことを、例えば赤色等で点滅して、同一グループ内の他の緊急通報装置１１で緊急事態が発生したことを報知する。 
【００１８】
警報ブザー１１ｆは、後述するように非常ボタン１１ｃが押下された緊急通報装置１１で緊急事態が発生したことを、警報音により各緊急通報装置１１のユーザに対し報知する。
【００１９】
発信者特定ランプ１１ｇ１〜１１ｇ６は、同一グループ内の緊急通報装置１１毎に割り当てられるもので、後述するように非常ボタン１１ｃが押下された緊急通報装置１１に該当するランプが例えば赤色等で点滅する。 
【００２０】
通信状態表示ランプ１１ｈ１〜１１ｈ６は、同一グループ内の他の緊急通報装置１１との間で距離が所定の通信可能範囲内で無線通信状況が良好である場合に例えば橙色などで点灯し、他の緊急通報装置１１との間の距離が離れていたり、他の緊急通報装置１１が電源が入れられてない等、無線通信が出来ない場合には消灯する。尚、図２に示すように通信状態表示選択スイッチ（ＳＷ）１１ｍが状態表示“ＯＮ”に設定されている場合は、通信状態表示ランプ１１ｈ１〜１１ｈ６を点灯させて無線通信可能な緊急通報装置１１を表示する一方、状態表示“ＯＦＦ”に設定されている場合は、無線通信可能な緊急通報装置１１があっても通信状態表示ランプ１１ｈ１〜１１ｈ６を消灯させる。
【００２１】
電源ランプ１１ｉは、電源が供給されているときに緑色などで点灯する。 
【００２２】
グループ番号設定スイッチ（ＳＷ）１１ｊは、図２に示すように、例えば“０”〜“９”までの値に設定可能な４個のロータリスイッチから構成されており、同一グループ毎に同じグループアドレス（００００〜９９９９）を設定する。
【００２３】
個別機器番号（No）設定スイッチ１１ｋも、例えば“０”〜“９”までの値に設定可能な１個のロータリスイッチなどから構成されており、同一グループ内における自機の通し番号（識別番号）を設定する。尚、本実施形態では、運用モード１の場合は、“１”〜“６”まで設定可能が可能であり、運用モード２の場合は親機であれば“０”、子機であれば“１”〜“６”までが設定可能である。 
【００２４】
通信状態表示選択スイッチ１１ｍは、例えばディップスイッチなどから構成され、“ＯＮ”または“ＯＦＦ”のいずれかが設定可能であり、自機における通信状態表示ランプ１１ｈ１〜１１ｈ６の点灯または消灯を選択できる。
【００２５】
通信回路１１ｎは、非常ボタン１１ｃ等が押された場合、制御回路１１ｐが作成した緊急事態発生信号や停止信号等を、内蔵アンテナ１１ｏを介し他の緊急通報装置１１へ送信したり、他の緊急通報装置１１が送信してきた緊急事態発生信号や停止信号等を内蔵アンテナ１１ｏを介し受信して制御回路１１ｐへ出力する。
【００２６】
制御回路１１ｐは、図示しないがＣＰＵやプログラムＲＯＭ、ＲＡＭ等を備えたマイコンで構成されており、プログラムＲＯＭ等に格納したプログラムを実行することによって緊急通報装置１１全体の動作を後述するように制御する。
【００２７】
尚、本実施形態の非常ランプ１１ｂや、緊急事態発生ランプ１１ｅ、発信者特定ランプ１１ｇ１〜１１ｇ６、および通信状態表示ランプ１１ｈ１〜１１ｈ６等のランプは、小電力なＬＥＤで構成しているが、本発明では、ＬＥＤ以外のランプを使用しても良い。
【００２８】
＜緊急通報システム１を構成する各緊急通報装置１１の動作モード＞
本実施形態の緊急通報システム１を構成する緊急通報装置１１には、運用モード１、運用モード２、エラーモードが存在する。 
【００２９】
＜運用モード１の概略＞
【００３０】
運用モード１は、同一グループ、すなわち自機と同じグループ番号（近隣グループアドレス）を有する他の緊急通報装置１１へ緊急事態（非常事態）発生信号を送信し、その緊急事態（非常事態）発生信号を受信した各緊急通報装置１１では、緊急ランプ１１ｅの点滅や、警報ブザー１１ｆの出力等により各緊急通報装置１１のユーザへ報知する。 
【００３１】
図４は、本発明に係る実施形態の緊急通報システムの運用モード１における同一グループ内における各緊急通報装置１１間の通信状況を示す図である。
【００３２】
図４に示すように、運用モード１の場合、グループ番号設定スイッチ（ＳＷ）１１ｊによって同一番号が設定されて同一グループに設定された場合、その同一グループを構成する複数（ここでは、例えば、６台とする。）の各緊急通報装置１１は、親機や子機という区別なしに、自機（自端末）から自機以外の他の５台の各緊急通報装置１１へ緊急事態発生信号や停止信号等の各種信号を一斉に送信し、各緊急通報装置１１では他の各緊急通報装置１１からの緊急事態発生信号や停止信号等の各種信号を受信する。この運用モード１の場合、グループ内の特定の緊急通報装置１１にのみ送信することは出来ない。尚、図４において６台の各緊急通報装置１１の中に付された“１”〜“６”までの番号は、各緊急通報装置１１の裏側の個別機器番号設定スイッチ（ＳＷ）１１ｋによって設定された各緊急通報装置１１の番号であり、後述するように運用モード１の場合、“１”〜“６”までの番号を任意に設定できる。
【００３３】
＜運用モード２の概略＞
図５は、運用モード２における同一グループ内における各緊急通報装置１１間の通信状況を示す図である。
【００３４】
運用モード２の場合は、図５に示すように、グループ番号設定スイッチ（ＳＷ）１１ｊによって同一のグループ番号が設定されて同一グループに設定された各緊急通報装置１１では、子機から親機のみに緊急事態発生信号や停止信号等の各種信号が送信され、子機から他の子機には送信されない。また、親機から子機へも緊急事態発生信号や停止信号は送信されない。尚、親機は、各緊急通報装置１１裏側の個別機器番号設定スイッチ（ＳＷ）１１ｋを“０”に設定することにより設定できる。また、個別機器番号設定スイッチ（ＳＷ）１１ｋを“０”以外の“１”〜“６”に設定することによって子機に設定できる。
【００３５】
そして、詳細は後述するが、運用モード２の場合、個別機器番号（No）設定スイッチ１１ｋが“０”に設定された親機の緊急通報装置１１は、自機と同じグループ番号（近隣グループアドレス）を有する子機の緊急通報装置１１から緊急事態発生信号を受信すると、緊急ランプ１１ｅおよびその子機の緊急通報装置１１に対応する個別機器番号（No）設定スイッチ１１ｋを点滅させると共に、警報ブザー１１ｆを鳴動させて親機のユーザに報知する。 
【００３６】
その一方、個別機器番号（No）設定スイッチ１１ｋが“１”〜“６”に設定された子機の緊急通報装置１１では、自機と同じグループ番号（近隣グループアドレス）からの緊急事態発生信号を受信しても無視する。また、自機の非常ボタン１１ｃが押下された場合、非常ランプ１１ｂを点灯させ、緊急ランプ１１ｅおよびその子機の緊急通報装置１１に対応する個別機器番号（No）設定スイッチ１１ｋを点滅させると共に、個別機器番号（No）設定スイッチ１１ｋが“０”に設定の緊急通報装置１１へ緊急事態発生信号を送信する。
【００３７】
＜運用モード１，２の切り替え方法＞
次に、本実施形態の緊急通報システム１を構成する緊急通報装置１１における運用モード１と運用モード２との切り替え方法について説明する。
【００３８】
緊急通報システム１を構成する各緊急通報装置１１は、起動表示終了後に運用モード１と運用モード２のどちらの運用モードで動作するかを、制御回路１１ｐがその内蔵メモリであるＲＡＭ（図示せず。）等に保持する。尚、出荷時には、運用モード１で動作するための情報を記録している。
【００３９】
以下の操作を行うことで、各緊急通報装置１１の動作モードを運用モード１から運用モード２へ、または運用モード２から運用モード１へ切り替えることができる。 
【００４０】
(i)電源が入っている場合は、電源を切る。 
(ii)個別機器番号（No）設定スイッチ１１ｋを“９”に設定する。
(iii)電源を入れる。 
(iv)２秒間電源ランプ１１ｉが点灯し、モード切り替え待ち状態に移行する。
(v)モード切り替え待ち状態中に、非常ボタン１１ｃを押下するとモードを以下のように切り替える。
・運用モード１で動作していた場合は、運用モード２に切り替える。 
・運用モード２で動作していた場合は、運用モード１に切り替える。 
・出荷状態の場合、初期設定が運用モード１であるので、運用モード２に切り替える。 
(vi)モード切り替え終了後、起動表示を行い、切り替えられた各運用モードで動作する。
【００４１】
また、モード切り替え状態中に非常ボタン１１ｃが押されずにタイムアウトになった場合も起動表示を行い、動作していた運用モードで動作を開始する（出荷時の場合は、運用モード１で動作する）。
【００４２】
＜本実施形態の緊急通報システム１を構成する各緊急通報装置１１の起動時処理＞ 
【００４３】
本実施形態の緊急通報システム１を構成する各緊急通報装置１１では、電源が投入されると、制御回路１１ｐが内蔵のＲＡＭからグループ番号や個別機器番号等の設定情報と、現在、運用モード１または運用モード２のいずれの運用モードであるかを示す運用モード情報等を読み込み、グループ番号や個別機器番号等の設定情報が正しく設定されているか、および運用モード１または運用モード２のいずれの運用モードが正しく設定されているか否かを判断する。
【００４４】
そして、各緊急通報装置１１の制御回路１１ｐは、グループ番号や個別機器番号等の設定情報、および運用モード１または運用モード２のいずれの運用モードのいずれかが正しく設定されていないと判断した場合、エラーモードに移行して無線通信機能やボタン、スイッチ入力機能を停止させると共に、図６に示すように全ランプ、すなわち非常ランプ１１ｂや、緊急事態発生ランプ１１ｅ、自機の発信者特定ランプ１１ｇ１〜１１ｇ６および通信状態表示ランプ１１ｈ１〜１１ｈ６を、０．５秒の点灯と０．５秒の消灯の繰り返しで点滅させる。これにより、この緊急通報装置１１のユーザは、エラー状態、すなわちエラーモードにあることを認識することができる。
【００４５】
これに対し、各緊急通報装置１１の制御回路１１ｐは、ＲＡＭ内のデータが正常、すなわちグループ番号や個別機器番号等の設定情報、および運用モード１または運用モード２のいずれの運用モードが正しく設定されていると判断した場合、個別機器番号（No）設定スイッチ１１ｋの状態を確認して、個別機器番号（No）設定スイッチ１１ｋが“９”以外に設定されている場合は、起動表示を行った後にＲＡＭ内に格納してある運用モード情報に従い、運用モード１または運用モード２で動作を開始する。 
【００４６】
尚、運用モード１における起動表示の場合、各緊急通報装置１１の制御回路１１ｐは、例えば、図７に示すように、電源ランプ１１ｉの点滅（０．２５秒点灯／０．２５秒消灯）を５秒間行う。 
【００４７】
その一方、運用モード２における起動表示の場合、各緊急通報装置１１の制御回路１１ｐは、例えば、図８に示すように、電源ランプ１１ｉの点滅（１秒点灯／１秒消灯）を５秒間行う。
【００４８】
＜運用モード切り替え待ち処理＞
図９は、運用モード切り替え待ち処理で運用モード切り替え成功時の状態を示す図である。
【００４９】
各緊急通報装置１１では、制御回路１１ｐは個別機器番号（No）設定スイッチ１１ｋが“９”に設定されている場合、運用モード切り替え待ち状態に移行し、電源ランプ１１ｉを点灯させる。
【００５０】
そして、運用モード切り替え待ち状態中に、非常ボタン１１ｃが押下されると、制御回路１１ｐは、運用モードを切り替える。つまり、制御回路１１ｐは、現在、運用モード１であれば運用モード２へ移行する一方、現在、運用モード２であれば運用モード１へ移行することができる。
【００５１】
また、制御回路１１ｐは、非常ボタン１１ｃが押下されて、運用モードを切り替えた場合、図９に示すように非常ランプ１１ｂを１秒間点灯させると共に、警報ブザー１１ｆを１秒間鳴動させることにより、当該緊急通報装置１１のユーザに運用モードが切り替わったことを報知する。
【００５２】
尚、運用モード切り替え待ち状態の終了条件は、以下の通りである。 
・非常ボタン１１ｃが押される。 
・２秒経過する。
【００５３】
これに対し、電源オン後、個別機器番号（No）設定スイッチ１１ｋが“９”に設定された運用モード切り替え待ち状態中の緊急通報装置１１において、非常ボタン１１ｃが押下されない場合、制御回路１１ｐは、図１０に示すように、運用モード切り替えが失敗して、非常ランプ１１ｂおよび警報ブザー１１ｆへ動作信号を送らず、非常ランプ１１ｂを点灯させず、かつ、警報ブザー１１ｆを鳴動もさせない。
【００５４】
＜個別機器番号（No）設定スイッチ１１ｋの設定異常検知動作＞
【００５５】
本実施形態の緊急通報装置１１では、個別機器番号（No）設定スイッチ１１ｋが適切に設定されていない場合、システムが正常に動作できなくなる可能性があるため、個別機器番号（No）設定スイッチ１１ｋが、図１１に示す異常設定範囲に設定されていた場合は、個別機器番号（No）設定スイッチ１１ｋの設定異常出力を行う。
【００５６】
図１１は、本実施形態の緊急通報システム１を構成する緊急通報装置１１における個別機器番号（No）設定スイッチ１１ｋの運用モード１と運用モード２における有効設定範囲および異常設定範囲を示す図である。
【００５７】
図１１に示すように、運用モード１（図４参照。）の場合、個別機器番号（No）設定スイッチ１１ｋが“１”〜“６”であれば有効設定範囲、“０”および“７”〜“９”は異常設定範囲であると制御回路１１ｐは判断する。また、運用モード２（図５参照。）の場合、個別機器番号（No）設定スイッチ１１ｋが“０”〜“６”であれば有効設定範囲、“７”〜“９”は異常設定範囲であると制御回路１１ｐは判断する。
【００５８】
そして、個別機器番号（No）設定スイッチ１１ｋの設定異常の場合、緊急通報装置１１の制御回路１１ｐは、例えば、図１２に示すように警報ブザー１１ｆを０．５秒毎に「ピッ」と音を鳴動させると共に、全ランプ、すなわち非常ランプ１１ｂや緊急事態発生ランプ１１ｅ、発信者特定ランプ１１ｇ１〜１１ｇ６等を１秒間隔で点滅させる。
【００５９】
尚、個別機器番号（No）設定スイッチ１１ｋの設定異常表示中、制御回路１１ｐは、自機の非常ボタン１１ｃ、停止ボタン１１ｄを無効にすると共に、通信回路１１ｎを停止させ、同一グループ内の他の緊急通報装置１１から送信されてきた緊急事態発生信号等の無線信号を無視する。
【００６０】
また、個別機器番号（No）設定スイッチ１１ｋの設定異常表示中に個別機器番号（No）設定スイッチ１１ｋが有効設定範囲に設定されると、制御回路１１ｐは、設定異常表示を解除して、自機の非常ボタン１１ｃや停止ボタン１１ｄを有効にすると共に、通信回路１１ｎを送受信可能状態にして、後述するような各運用モード１，２での動作を開始する。
【００６１】
＜本実施形態の緊急通報システム１を構成する各緊急通報装置１１の動作＞
次に、以上のように構成された本実施形態の緊急通報システム１を構成する各緊急通報装置１１の動作を、運用モード１と、運用モード２とに分けて説明する。
【００６２】
＜各緊急通報装置１１の運用モード１における動作＞
【００６３】
図１３は、ある緊急通報装置１１が運用モード１において非常ボタン１１ｃが押下された場合の緊急事態報知動作を示す図である。
【００６４】
運用モード１において、同一グループを構成する各緊急通報装置１１で非常ボタン１１ｃが押下されると、図４で説明したように、非常ボタン１１ｃが押下された当該緊急通報装置１１では、制御回路１１ｐは、図１３に示すように非常ランプ１１ｂを点灯させると共に、緊急事態発生ランプ（図では、緊急ランプ）１１ｅと、自機に該当する発信者特定ランプ１１ｇ１〜１１ｇ６を点滅させて、自機のユーザに対して緊急事態が発生したことを報知する。
【００６５】
また、非常ボタン１１ｃが押下された当該緊急通報装置１１では、制御回路１１ｐは、警報ブザー１１ｆが、例えば、２秒経過する毎に警報音の音量が小→中→大と変化するように制御する。
【００６６】
そして、制御回路１１ｐは、自機は非常ボタン１１ｃが押下された緊急通報装置１１であるため、１０分経過しても音量は大のままとする。
【００６７】
そのため、後述する運用モード２において非常ボタン１１ｃが押下された場合に警報ブザー１１ｆが一瞬だけ「ピィ」と鳴動する場合とは異なり、運用モード１において非常ボタン１１ｃが押下された当該緊急通報装置１１では、警報音の音量が小→中→大と変化し、１０分経過した場合には大音量のまま鳴動するので、警報音によって非常ボタン１１ｃが押下された当該緊急通報装置１１で緊急事態が発生したことを報知することが可能となり、非常ボタン１１ｃが押下された当該緊急通報装置１１のユーザが倒れる等の緊急事態の発生を確実に報知することができる。
【００６８】
また、非常ボタン１１ｃが押下された当該緊急通報装置１１の制御回路１１ｐは、自機で緊急事態（非常事態）が発生したことを同一グループ内の他の緊急通報装置１１へ報知するため、図１３に示すように緊急事態発生信号を、例えば、３秒送信し、２秒休止を繰り返して１分間発信し、図４に示すように同一グループの他の緊急通報装置１１に対し送信する。
【００６９】
つまり、本実施形態の非常ボタン１１ｃが押下された緊急通報装置１１では、図１３に示すように、非常ランプ１１ｂの点灯や、緊急事態発生ランプ１１ｅおよび自機に該当する発信者特定ランプ１１ｇ１〜１１ｇ６の点滅、さらには警報ブザー１１ｆから警報音の発生だけでなく、同一グループ内の他の緊急通報装置１１に対し緊急事態発生信号を送信して自機の緊急事態発生を報知する。
【００７０】
尚、非常ボタン１１ｃが押下され図１３に示すように自機の緊急事態発生を報知している緊急通報装置１１において、続いて停止ボタン１１ｄが所定時間未満、例えば、３秒未満の短時間押下された場合、制御回路１１ｐは、非常ボタン１１ｃの押下が間違いであると判断して、当該緊急通報装置１１の警報ブザー１１ｆを停止する。このとき、自機以外の緊急事態を検知している場合は、該当の発信者特定ランプ１１ｇ１〜１１ｇ６を消灯させる。 
【００７１】
そして、警報ブザー１１ｆ停止状態で再度自機の非常ボタン１１ｃが押下された場合、制御回路１１ｐは、警報ブザー１１ｆ出力を、再度、２秒経過する毎に音量を小→中→大と変化させて警報音を発生させ、１０分経過した場合でも音量は大のままとする。また、制御回路１１ｐは、通信回路１１ｎから同一グループ内の他の緊急通報装置１１へ緊急事態発生信号を３秒送信、２秒休止を繰り返して１分間、送信する。
【００７２】
これに対し、非常ボタン１１ｃが押下され図１３に示すように自機の緊急事態発生を報知している緊急通報装置１１において、停止ボタン１１ｄが所定時間以上、例えば、３秒以上押下された場合、制御回路１１ｐは、図１５に示すように制御する。
【００７３】
＜運用モード１で同一グループ内の他の緊急通報装置１１で非常ボタン１１ｃが押下され、送信された緊急事態発生信号を受信した緊急通報装置１１での動作＞
【００７４】
次に、運用モード１で同一グループ内の他の緊急通報装置１１で非常ボタン１１ｃが押下され、送信された緊急事態発生信号を受信した緊急通報装置１１での動作について説明する。
【００７５】
図１４は、本発明に係る実施形態の緊急通報システム１を構成する緊急通報装置１１が運用モード１において同一グループ内の他の緊急通報装置１１で非常ボタン１１ｃが押下され、送信された緊急事態発生信号を受信した緊急通報装置１１での動作を示す図である。
【００７６】
同一グループ内の他の緊急通報装置１１から緊急事態発生信号を内蔵アンテナ１１ｃおよび通信回路１１ｎを介して受信した緊急通報装置１１では、制御回路１１ｐは、図１４に示すように、緊急事態発生ランプ１１ｅを点滅させると共に、該当する発信者特定ランプ１１ｇ１〜１１ｇ６、すなわち緊急事態発生信号を送信してきた緊急通報装置１１を示す発信者特定ランプ１１ｇ１〜１１ｇ６を点滅させて緊急事態（非常事態）の発生を報知する。尚、同一グループ内の他の緊急通報装置１１から緊急事態発生信号を受信した緊急通報装置１１では、制御回路１１ｐは非常ランプ１１ｂを点灯させないが、非常ランプ１１ｂを点灯させても良い。
【００７７】
また、同一グループ内の他の緊急通報装置１１から緊急事態発生信号を受信した緊急通報装置１１の制御回路１１ｐは、警報ブザー１１ｆから警報音を、例えば、２秒経過する毎に小→中→大と変化させながら１０分間発生させて、緊急事態（非常事態）の発生を報知する。
【００７８】
ただし、同一グループ内の他の緊急通報装置１１から緊急事態発生信号を受信した緊急通報装置１１の制御回路１１ｐは、非常ボタン１１ｃが押下された緊急通報装置１１とは異なり、警報ブザー１１ｆによる警報音の発生開始から所定時間経過、例えば１０分経過した場合には、警報ブザー１１ｆの音量を中に下げ、さらに１０分経過した場合には、警報ブザー１１ｆの音量を小に制御する。つまり、同一グループ内の他の緊急通報装置１１から緊急事態発生信号を受信した緊急通報装置１１の警報ブザー１１ｆの音量は、小→中→大と変化した後、大→中→小と変化する。なお、その後は、そのまま警報音の音量を小のままでも良いし、警報音の発生を停止させても良い。
【００７９】
これにより、緊急事態発生信号を受信した緊急通報装置１１では、警報ブザー１１ｆによる警報音の発生開始から３０分も経過すれば音量が小となるので、緊急事態発生信号を受信した緊急通報装置１１のユーザが不在の場合でも、緊急通報装置１１のユーザ宅において当該ユーザの具合が突然悪くなる等して緊急事態が発生したものと勘違いすることを防止できる。
【００８０】
これに対し、非常ボタン１１ｃが押下された緊急通報装置１１では、警報ブザー１１ｆによる警報音の発生開始から３０分経過した場合でも、その警告音が大のまま小さくならず、当該緊急通報装置１１のユーザ宅でそのユーザに緊急事態（非常事態）が発生したことを報知し続けるため、ユーザの具合が突然悪くなる等して緊急事態が発生した場合に有効である。
【００８１】
尚、警報ブザー１１ｆの音量が大→中→小と変化した状態で、新たに別の緊急事態発生信号を受信した場合でも、制御回路１１ｐは、警報ブザー１１ｆの音量は小のままとする。
【００８２】
また、緊急事態発生信号を受信した緊急通報装置１１において警報ブザー１１ｆの音量を大→中→小と変化させた状態で、自機の緊急事態が発生した場合、制御回路１１ｐは、警報ブザー１１ｆの音量が段階的に、例えば、２秒経過する毎に１段階ずつ大きくなるように制御し、警告音が大となった場合には警告音が大の状態を維持するように制御する。
【００８３】
これにより、緊急事態発生信号を受信した緊急通報装置１１において警報ブザー１１ｆの音量を大→中→小と変化させた状態で、当該緊急通報装置１１のユーザ宅でそのユーザに緊急事態（非常事態）が発生した場合には、警報ブザー１１ｆの音量が段階的に大きくなり、最終的には報知し続けるため、たとえ警報ブザー１１ｆの音量が小となったユーザ宅でも、ユーザの具合が突然悪くなったことを報知できる。
【００８４】
＜運用モード１で非常ボタン１１ｃが押下された緊急通報装置１１で、続いて停止ボタン１１ｄが所定時間以上の長押された場合の動作＞
【００８５】
図１５は、本発明に係る実施形態の緊急通報システム１を構成する緊急通報装置１１が運用モード１において非常ボタン１１ｃが押下された後、停止ボタン１１ｄが所定時間以上の長押された場合の緊急事態報知の解除動作を示す図である。
【００８６】
非常ボタン１１ｃが押下され図１３に示すように自機の緊急事態発生を報知している緊急通報装置１１において、続いて非常ボタン１１ｃを押下した発信者等が停止ボタン１１ｄを所定時間以上、例えば、３秒以上押下した場合、制御回路１１ｐは、図１５に示すように停止ボタン１１ｄが３秒以上押下された時点で警報ブザー１１ｆに一瞬だけ「ピィ」音を鳴らさせると共に、自機の非常ランプ１１ｂおよび自機に相当する発信者特定ランプ１１ｇ１〜１１ｇ６も消灯させる。
【００８７】
また、制御回路１１ｐは、停止ボタン１１ｄが所定時間以上、例えば、３秒以上押下された場合、図１５に示すように、同一グループ内の他の緊急通報装置１１へ通信回路１１ｎからの緊急事態発生信号の送信を休止し（例えば、通信回路１１ｎからの緊急事態発生信号の送信休止時間を２秒とする。）、その後、停止信号を所定時間、例えば、３秒ほど送信する。
【００８８】
ここで、全ての緊急事態が解除されている場合、制御回路１１ｐは、図１５に示すように、緊急事態発生ランプ（緊急ランプ）１１ｅも消灯させる。
【００８９】
また、停止ボタン１１ｄを押下して３秒経過するまでに同一グループ内の他の緊急通報装置１１からの緊急事態を検知していた場合、制御回路１１ｐは、該当の発信者特定ランプ１１ｇ１〜１１ｇ６および緊急事態発生ランプ１１ｅの点滅を継続する。 
【００９０】
また、自機の緊急事態報知中に同一グループ内の他の緊急通報装置１１から停止信号を受信した場合、制御回路１１ｐは、該当する発信者特定ランプ１１ｇ１〜１１ｇ６のみを消灯する。警報ブザー１１ｆの警報音が鳴動中の場合、制御回路１１ｐは、停止信号を受信しても警報ブザー１１ｆを停止させない。
【００９１】
そして、自機の緊急事態報知を開始してから１分経過した場合、制御回路１１ｐは、通信回路１１ｎからの緊急事態発生信号の送信を停止するのに対し、非常ランプ１１ｂおよび緊急事態発生ランプ１１ｅの点灯、および警報ブザー１１ｆの鳴動は継続する。
【００９２】
尚、同一グループ内の全ての緊急通報装置１１で緊急事態が解除されている場合、制御回路１１ｐは、緊急事態発生ランプ１１ｅを消灯させる。また、この状態で停止ボタン１１ｄを３秒押下した場合、制御回路１１ｐは、警報ブザー１１ｆにて「ピィ」音を鳴らして、同一グループ内の他の緊急通報装置１１へ通信回路１１ｎから停止信号を３秒間送信する。 
【００９３】
そして、制御回路１１ｐは、停止信号を送信した場合、新たに自機で緊急事態報知が発生するまで、停止ボタン１１ｄを３秒押下しても停止信号の送信は行わない。
【００９４】
＜同一グループ内の他の緊急通報装置１１から緊急事態発生信号を受信している状態の緊急通報装置１１において停止ボタン１１ｄが押下された場合＞
【００９５】
また、同一グループ内の他の緊急通報装置１１から緊急事態発生信号を受信している状態の緊急通報装置１１において停止ボタン１１ｄが押下された場合、制御回路１１ｐは、該当の発信者特定ランプ１１ｇ１〜１１ｇ６を消灯させて警報ブザー１１ｆの警報音を停止する。このとき自機の緊急事態を検知していなければ、緊急事態発生ランプ１１ｅを消灯させる。 
【００９６】
また、同一グループ内の他の緊急通報装置１１から停止信号を受信した場合、制御回路１１ｐは、該当する発信者特定ランプ１１ｇ１〜１１ｇ６のみを消灯させる。このとき、全ての緊急事態が解除されれば、制御回路１１ｐは、緊急事態発生ランプ１１ｅも消灯させ、警報ブザー１１ｆの警報音も停止させる。尚、その後、制御回路１１ｐは、対象Ｎｏ（対象の個別機器番号）、すなわち一度非常ボタン１１ｃが押下され、その後停止ボタン１１ｄが押下された緊急通報装置１１からの緊急事態発生信号を１分間受け付けない。
【００９７】
また、自機の個別機器番号（No）設定スイッチ１１ｋと同じＮｏ（個別機器番号）に設定された緊急通報装置１１から緊急事態発生信号を受信した場合、制御回路１１ｐは、その緊急事態発生信号を無効とする。また、制御回路１１ｐは、自機Ｎｏに該当する通信状態表示ランプ１１ｈ１〜１１ｈ６を消灯させる。
【００９８】
＜各緊急通報装置１１の運用モード２における動作＞
次に、本発明に係る実施形態の緊急通報システム１を構成する緊急通報装置１１の運用モード２における動作について説明する。
【００９９】
＜運用モード２で子機の緊急通報装置１１で非常ボタン１１ｃが押下された場合の動作＞
図１６は、本発明に係る実施形態の緊急通報システム１を構成する緊急通報装置１１が運用モード２において子機として非常ボタン１１ｃが押下された場合の緊急事態報知動作を示す図である。
【０１００】
図５でも上述したように、運用モード２は、同一グループ内で子機の緊急通報装置１１から親機の緊急通報装置１１に対し緊急事態発生信号を送信するモードであり、各緊急通報装置１１の個別機器番号（No）設定スイッチ１１ｋの設定が子機を示す“１”〜“６”に設定されている緊急通報装置１１から親機を示す“０”に設定されている緊急通報装置１１に対し緊急事態報知を行うことができる。 
【０１０１】
つまり、個別機器番号（No）設定スイッチ１１ｋが“１”〜“６”の子機の番号に設定された緊急通報装置１１において非常ボタン１１ｃが押下されると、非常ボタン１１ｃが押下された子機の制御回路１１ｐは、運用モード２の場合、図１６に示すように自機の非常ボタン１１ｃの非常ランプ１１ｂを点灯させると共に、自機の緊急事態発生ランプ１１ｅおよび自機に該当する発信者特定ランプ１１ｇ１〜１１ｇ６を点滅させる。尚、これらのランプの制御は、運用モード１の場合と同様である。
【０１０２】
ただし、運用モード２で非常ボタン１１ｃが押下された子機の緊急通報装置１１の制御回路１１ｐは、運用モード２の場合、運用モード１とは異なり、図５に示すように、個別機器番号（No）設定スイッチ１１ｋが“０”に設定された親機の緊急通報装置１１に対してのみ、緊急事態発生信号を、３秒送信、２秒休止を繰り返して１分間送信する。
【０１０３】
また、運用モード２で非常ボタン１１ｃが押下された子機の緊急通報装置１１の制御回路１１ｐは、運用モード２の場合、運用モード１とは異なり、図１６に示すように、非常ボタン１１ｃの押下時に、警報ブザー１１ｆを「ピィ音」で一瞬だけ鳴動させる。尚、運用モード１の場合に非常ボタン１１ｃが押下された緊急通報装置１１では、警報ブザー１１ｆは、図１３に示すように小→中→大と鳴動して緊急事態（非常事態）の発生を報知する。
【０１０４】
そのため、本発明に係る実施形態の緊急通報システム１では、同一グループを構成する各緊急通報装置１１に個別機器番号（No）設定スイッチ１１ｋによって子機または親機の番号が設定され、かつ、運用モード２が設定された場合、非常ボタン１１ｃが押下された子機の緊急通報装置１１では運用モード１の場合とは異なり警報音は「ピィ音」で一瞬だけ鳴動するだけとなるので、静かな病室などにおいてナースコール的に使用することが可能となる。
【０１０５】
＜運用モード２で子機の緊急通報装置１１で非常ボタン１１ｃが押下された後、停止ボタン１１ｄが押下された場合の緊急事態報知の解除動作＞
【０１０６】
図１７は、本発明に係る実施形態の緊急通報システム１を構成する緊急通報装置１１が運用モード２において非常ボタン１１ｃの押下後、停止ボタン１１ｄが押下された場合の緊急事態報知の解除動作を示す図である。
【０１０７】
図１７に示すように、運用モード２で非常ボタン１１ｃが押下され緊急事態報知中の子機の緊急通報装置１１において、続いて停止ボタン１１ｄが所定時間、例えば３秒以上押下された場合、制御回路１１ｐは、その３秒経過した時点で警報ブザー１１ｆを「ピィ音」で一瞬だけ鳴動させると共に、点灯や点滅していた非常ランプ１１ｂ、緊急事態発生ランプ１１ｅおよび当該緊急通報装置１１に対応する発信者特定ランプ１１ｇ１〜１１ｇ６を消灯させる。
【０１０８】
これにより、子機の緊急通報装置１１において間違って非常ボタン１１ｃが押下された場合や、親機の緊急通報装置１１が設置されたユーザ宅から人が駆けつけて来た場合には、運用モード２で非常ボタン１１ｃが押下され緊急事態報知中の子機の緊急通報装置１１が設置されたユーザ宅において、点灯や点滅していた非常ランプ１１ｂ、緊急事態発生ランプ１１ｅおよび当該緊急通報装置１１に対応する発信者特定ランプ１１ｇ１〜１１ｇ６を消灯させることができる。
【０１０９】
また、運用モード２で非常ボタン１１ｃが押下され緊急事態報知中の子機の緊急通報装置１１において、停止ボタン１１ｄが３秒以上押下された場合、個別機器番号（No）設定スイッチ１１ｋが“０”である親機の緊急通報装置１１に対し、図１７に示すように、通信回路１１ｎから停止信号を３秒間送信して、緊急事態の報知を停止する。
【０１１０】
尚、緊急事態未発生状態で、停止ボタン１１ｄが３秒以上押下されても、停止信号の送信は行わない。また、子機の緊急通報装置１１では、緊急事態報知中に同一グループ内の他の緊急通報装置１１から停止信号を受信しても無効とし、緊急事態報知を継続する。さらに、個別機器番号（No）設定スイッチ１１ｋの設定が“０”に設定されている親機の緊急通報装置１１では、非常ボタン１１ｃが押下されても無効とする。 
【０１１１】
これにより、子機の緊急通報装置１１において非常ボタン１１ｃが押下された場合には、停止ボタン１１ｄを所定時間以上、長押しすることにより親機の緊急通報装置１１に対し停止信号を送信することができる。
【０１１２】
＜運用モード２で子機の緊急通報装置１１で非常ボタン１１ｃが押下され送信された緊急事態発生信号を受信した親機の動作＞
【０１１３】
図１８は、本発明に係る実施形態の緊急通報システム１を構成する緊急通報装置１１が運用モード２において親機として子機の緊急通報装置１１から緊急事態（異常事態）発生信号を受信した場合の動作を示す図である。
【０１１４】
運用モード２において個別機器番号（No）設定スイッチ１１ｋの設定が“０”に設定されている親機の緊急通報装置１１では、同一グループ内で個別機器番号（No）設定スイッチ１１ｋの設定が“１”〜“６”に設定されている子機の緊急通報装置１１から緊急事態発生信号を受信した場合、図１８に示すように、緊急事態発生ランプ（緊急ランプ）１１ｅを点滅させると共に、該当する発信者特定ランプ１１ｇ１〜１１ｇ６を点滅させ、警報ブザー１１ｆの音量を小→中→大と変化させて出力する。
【０１１５】
尚、運用モード２の場合、個別機器番号（No）設定スイッチ１１ｋの設定が“１”〜“６”に設定されている緊急通報装置１１では、同一グループ内の他の緊急通報装置１１から緊急事態報知を受信しても無視する。
【０１１６】
＜子機の緊急通報装置１１から緊急事態（異常事態）発生信号を受信後、親機で停止ボタン１１ｄが所定時間未満の短押しされた場合の動作＞
【０１１７】
図１９は、本発明に係る実施形態の緊急通報システム１を構成する親機の緊急通報装置１１が運用モード２において２台の子機の緊急通報装置１１から緊急事態（異常事態）発生信号を受信後、親機で停止ボタン１１ｄが所定時間未満の短押しされた場合の動作を示す図である。
【０１１８】
図１９に示すように、運用モード２において親機の緊急通報装置１１が、例えば、個別番号設定スイッチ１１ｋが“１”，“２”の２台の子機の緊急通報装置１１から緊急事態（異常事態）発生信号を受信すると、親機の制御回路１１ｐは、図１８にも示すように警報ブザー１１ｆの警報音を小→中→大と音量を上げながら鳴動すると共に、緊急事態発生信号を送信している個別番号設定スイッチ１１ｋが“１”，“２”の２台の子機の緊急通報装置１１に該当する発信者特定ランプ１１ｇ１〜１１ｇ６を点灯させる。
【０１１９】
このような子機の緊急通報装置１１から緊急事態発生信号を受信している際に、親機の緊急通報装置１１において停止ボタン１１ｄが短押し、すなわち所定時間未満（例えば、３秒未満とする。）の短時間だけ押下されると、親機の制御回路１１ｐは、図１９に示すように、警報ブザー１１ｆの警報音のみ停止して、緊急事態発生信号を送信している子機の緊急通報装置１１に該当する発信者特定ランプ１１ｇ１〜１１ｇ６および緊急事態発生ランプ１１ｅは消灯しない。
【０１２０】
そのため、本発明に係る実施形態の緊急通報システム１を構成する親機の緊急通報装置１１は、運用モード２の場合に子機から緊急事態（異常事態）発生信号を受信し、当該親機で停止ボタン１１ｄを短押しした場合には、警報ブザー１１ｆの警報音のみが停止し、緊急事態発生信号を送信している子機の緊急通報装置１１に該当する発信者特定ランプ１１ｇ１〜１１ｇ６および緊急事態発生ランプ１１ｅは消灯しないので、異常事態（緊急事態）が発生している子機は確実に特定することができ、ナースコール的な使用が可能となる。
【０１２１】
また、緊急事態発生信号を送信している個別番号設定スイッチ１１ｋが“１”，“２”の２台の子機の緊急通報装置１１においてそれぞれ停止ボタン１１ｄが押下され、親機に向けて停止信号が送信され、親機がその２台の子機からの停止信号を受信すると、親機の制御回路１１ｐは、図１９に示すように、それぞれの停止信号の受信のタイミングで、個別番号設定スイッチ１１ｋが“１”，“２”の２台の子機の緊急通報装置１１に該当する発信者特定ランプ１１ｇ１〜１１ｇ６をそれぞれ消灯させる。
【０１２２】
また、運用モード２で親機において停止ボタン１１ｄが短押しされた場合、親機の制御回路１１ｐは、緊急事態発生信号を送信している全ての子機の緊急通報装置１１から停止信号を受信した時点で緊急事態発生ランプ１１ｅを消灯させるように制御する。
【０１２３】
そのため、個別番号設定スイッチ１１ｋが“１”，“２”の２台の子機の緊急通報装置１１においてそれぞれ非常ボタン１１ｃが押下され、その後、親機で停止ボタン１１ｄが所定時間未満の短押しされた場合には、図１９に示すように、先に停止ボタン１１ｄが押下された個別番号設定スイッチ１１ｋが“１”の子機からの停止信号の受信時には緊急事態発生ランプ１１ｅを消灯させず、その後に停止ボタン１１ｄが押下された個別番号設定スイッチ１１ｋが“２”の子機からの停止信号の受信時に緊急事態発生ランプ１１ｅを消灯させるので、親機の停止ボタン１１ｄによって緊急事態発生ランプ１１ｅを停止させた後でも、非常ボタン１１ｃが押下された子機の緊急通報装置１１を確実に特定することができる。
【０１２４】
＜子機の緊急通報装置１１から緊急事態（異常事態）発生信号を受信後、親機で停止ボタン１１ｄが所定時間以上の長押しされた場合の動作＞
【０１２５】
図２０は、本発明に係る実施形態の緊急通報システム１を構成する親機の緊急通報装置１１が運用モード２において２台の子機の緊急通報装置１１から緊急事態（異常事態）発生信号を受信後、当該親機で停止ボタン１１ｄが所定時間（例えば、３秒間とする。）以上、長押しされた場合の動作を示す図である。
【０１２６】
図２０に示す当該親機での停止ボタン１１ｄが所定時間（例えば、３秒間とする。）以上、長押しされた場合、当該親機の制御回路１１ｐは、図１９に示す当該親機での停止ボタン１１ｄが所定時間未満の短押しされた場合と同様に、停止ボタン１１ｄが押下された時点で警報ブザー１１ｆの鳴音を中止させる。
【０１２７】
しかし、当該親機での停止ボタン１１ｄが所定時間（例えば、３秒間とする。）以上、長押しされた場合、当該親機の制御回路１１ｐは、３秒間の所定時間経過した時点で、図１９に示す当該親機での停止ボタン１１ｄが所定時間未満の短押しの場合とは異なり、図２０に示すように、緊急事態発生信号を送信している個別番号設定スイッチ１１ｋが“１”，“２”の２台の子機の緊急通報装置１１がそれぞれ緊急事態（異常事態）発生信号の送信中でも緊急事態発生ランプ１１ｅの点滅を停止させると共に、緊急事態発生信号を送信している個別番号設定スイッチ１１ｋが“１”，“２”の２台の子機の緊急通報装置１１に該当する発信者特定ランプ１１ｇ１〜１１ｇ６を同時に消灯させる。
【０１２８】
そのため、各緊急通報装置１１に子機および親機を設定する運用モード２の場合においては、子機で非常ボタン１１ｃが押下され緊急事態発生信号が親機に送信され、親機で警報ブザー１１ｆが鳴動すると共に、緊急事態発生ランプ１１ｅおよび該当する子機の発信者特定ランプ１１ｇ１〜１１ｇが点滅した場合でも、当該親機で停止ボタン１１ｄを所定時間以上の長押しすることにより、警報ブザー１１ｆの停止だけでなく、緊急事態発生信号を送信している子機で停止ボタン１１ｄが押下されなくても、緊急事態発生ランプ１１ｅおよび該当する子機の発信者特定ランプ１１ｇ１〜１１ｇが同時に消灯させることが可能となるため、病院や介護施設などでは使い勝手が向上する。
【０１２９】
また、親機の緊急通報装置１１では、停止ボタン１１ｄを所定時間（例えば、３秒間とする。）以上、長押しすることにより警報ブザー１１ｆや、緊急事態発生ランプ１１ｅおよび該当する子機の発信者特定ランプ１１ｇ１〜１１ｇの停止動作後、制御回路１１ｐは、該当する子機からの緊急事態発生信号を所定時間、例えば、１分間受け付けないように制御する。
【０１３０】
尚、上記実施形態の緊急通報システム１を構成する複数の緊急通報装置１１では、子機および親機の関係にない運用モード１と、子機および親機の関係に設定する運用モード２とを、個別機器番号（No）設定スイッチ１１ｋの設定によって切り替え可能に構成して説明したが、本発明では、これに限らず、運用モード１でのみ動作する複数の緊急通報装置１１によって緊急通報システム１を構成するようにしても良いし、運用モード２でのみ動作する複数の緊急通報装置１１によって緊急通報システム１を構成するようにしても勿論良い。
【符号の説明】
【０１３１】
１  緊急通報システム
１１  緊急通報装置
１１ａ  装置本体
１１ｂ  非常ランプ
１１ｃ  非常ボタン
１１ｄ  停止ボタン
１１ｅ  緊急事態発生ランプ（緊急ランプ）
１１ｆ  警報ブザー
１１ｇ１〜１１ｇ６  発信者特定ランプ
１１ｈ１〜１１ｈ６  通信状態表示ランプ
１１ｉ  電源ランプ
１１ｊ  グループ番号設定スイッチ（ＳＷ）
１１ｋ  個別機器番号（No）設定スイッチ（ＳＷ）
１１ｍ  通信状態表示選択スイッチ（ＳＷ）
１１ｎ  通信回路
１１ｏ  内蔵アンテナ
１１ｐ  制御回路
【図１】
2017194783.tif 000003
【図２】
2017194783.tif 000004
【図３】
2017194783.tif 000005
【図４】
2017194783.tif 000006
【図５】
2017194783.tif 000007
【図６】
2017194783.tif 000008
【図７】
2017194783.tif 000009
【図８】
2017194783.tif 000010
【図９】
2017194783.tif 000011
【図１０】
2017194783.tif 000012
【図１１】
2017194783.tif 000013
【図１２】
2017194783.tif 000014
【図１３】
2017194783.tif 000015
【図１４】
2017194783.tif 000016
【図１５】
2017194783.tif 000017
【図１６】
2017194783.tif 000018
【図１７】
2017194783.tif 000019
【図１８】
2017194783.tif 000020
【図１９】
2017194783.tif 000021
【図２０】
2017194783.tif 000022